【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
サーバ装置と、このサーバ装置に接続されたシンクライアント端末としての第１の端末装置および第２の端末装置とを有するサーバ・ベース・コンピューティング・システムにおいて、
前記サーバ装置は、
前記第１の端末装置から受信したキー入力イベントの入力回数をキー入力イベントの種類毎に計数する入力イベント種類毎計数手段と、
この入力イベント種類毎計数手段により計数された各キー入力イベントの入力回数をキー入力イベントの種類毎に記憶する入力イベント種類毎回数記憶手段と、
この入力イベント種類毎回数記憶手段により記憶された各キー入力イベントの種類毎の入力回数に基づき、入力回数の多い各キー入力イベントを決定する入力イベント決定手段と、
前記第２の端末装置が接続された際に、前記入力イベント決定手段により決定された各キー入力イベントの情報を前記第２の端末装置へ送信する入力イベント決定情報送信手段とを備え、
前記第２の端末装置は、
前記サーバ装置から送信された各キー入力イベントの情報に従い、前記入力回数の多い各キー入力イベントのキー機能を予め設定されたキーに割り付けるキー機能割り付け手段と、
ユーザ操作に応じたキー入力イベントを前記サーバ装置へ送信する際に、前記予め設定されたキーが操作された場合は、前記キー機能割り付け手段により割り付けられたキー機能のキー入力イベントを前記サーバ装置へ送信する入力イベント送信手段とを備えた、
ことを特徴とするサーバ・ベース・コンピューティング・システム。
【請求項２】
前記サーバ装置は、さらに、
前記第１の端末装置から受信した入力イベントに応じて起動されるアプリケーションを判別するアプケーション判別手段を備え、
前記入力イベント種類毎回数記憶手段は、前記アプリケーション判別手段により判別されるアプリケーション別に、前記入力イベント種類毎計数手段により計数された各キー入力イベントの入力回数をキー入力イベントの種類毎に記憶し、
前記入力イベント決定手段は、前記入力イベント種類毎回数記憶手段によりアプリケーション別に記憶された各キー入力イベントの種類毎の入力回数に基づき、入力回数の多い各キー入力イベントを決定し、
前記入力イベント決定情報送信手段は、前記第２の端末装置が接続されアプリケーションが起動された際に、起動されたアプリケーション別に前記入力イベント決定手段により決定された各キー入力イベントの情報を前記第２の端末装置へ送信する、
ことを特徴とする請求項１に記載のサーバ・ベース・コンピューティング・システム。
【請求項３】
前記第２の端末装置は、さらに、
前記キー機能割り付け手段により予め設定されたキーに割り付けられたキー機能に対応するキー表記を、予め設定されたキーの位置に対応させて表示部に表示させる割り付けキー表示手段を備えたことを特徴とする請求項１に記載のサーバ・ベース・コンピューティング・システム。
【請求項４】
前記入力イベント種類毎計数手段により計数するキー入力イベントは、複数のキーの組合せに応じたキー入力イベントを含むことを特徴とする請求項１に記載のサーバ・ベース・コンピューティング・システム。
【請求項５】
前記第１の端末装置は、キーの数が多いキーボードを備えた情報端末装置であって、
前記第２の端末装置は、前記情報端末装置のキーボードより少ない数のキーを有する携帯端末装置である、
ことを特徴とする請求項１に記載のサーバ・ベース・コンピューティング・システム。
【請求項６】
サーバ装置から送信された各キー入力イベントの情報に従い、入力回数の多い各キー入力イベントのキー機能を予め設定されたキーに割り付けるキー機能割り付け手段と、
ユーザ操作に応じたキー入力イベントを前記サーバ装置へ送信する際に、前記予め設定されたキーが操作された場合は、前記キー機能割り付け手段により割り付けられたキー機能のキー入力イベントを前記サーバ装置へ送信する入力イベント送信手段と、
を備えた端末装置。
【請求項７】
サーバ装置と、このサーバ装置に接続されたシンクライアント端末としての第１の端末装置および第２の端末装置とを有するサーバ・ベース・コンピューティング・システムを制御するためのプログラムであって、
前記サーバ装置のコンピュータを、
前記第１の端末装置から受信したキー入力イベントの入力回数をキー入力イベントの種類毎に計数する入力イベント種類毎計数手段、
この入力イベント種類毎計数手段により計数された各キー入力イベントの入力回数をキー入力イベントの種類毎にメモリに記憶させる入力イベント種類毎回数記憶手段、
この入力イベント種類毎回数記憶手段により記憶された各キー入力イベントの種類毎の入力回数に基づき、入力回数の多い各キー入力イベントを決定する入力イベント決定手段、
前記第２の端末装置が接続された際に、前記入力イベント決定手段により決定された各キー入力イベントの情報を前記第２の端末装置へ送信する入力イベント決定情報送信手段として機能させ、
前記第２の端末装置のコンピュータを、
前記サーバ装置から送信された各キー入力イベントの情報に従い、前記入力回数の多い各キー入力イベントのキー機能を予め設定されたキーに割り付けるキー機能割り付け手段、
ユーザ操作に応じたキー入力イベントを前記サーバ装置へ送信する際に、前記予め設定されたキーが操作された場合は、前記キー機能割り付け手段により割り付けられたキー機能のキー入力イベントを前記サーバ装置へ送信する入力イベント送信手段として機能させる、
ためのコンピュータ読み込み可能なプログラム。
【請求項８】
端末装置のコンピュータを、
サーバ装置から送信された各キー入力イベントの情報に従い、入力回数の多い各キー入力イベントのキー機能を予め設定されたキーに割り付けるキー機能割り付け手段、
ユーザ操作に応じたキー入力イベントを前記サーバ装置へ送信する際に、前記予め設定されたキーが操作された場合は、前記キー機能割り付け手段により割り付けられたキー機能のキー入力イベントを前記サーバ装置へ送信する入力イベント送信手段、
として機能させるためのコンピュータ読み取り可能なプログラム。
【手続補正２】
【補正対象書類名】明細書
【補正対象項目名】発明の名称
【補正方法】変更
【補正の内容】
【発明の名称】サーバ・ベースコンピューティング・システム、端末装置およびプログラム
【手続補正３】
【補正対象書類名】明細書
【補正対象項目名】０００１
【補正方法】変更
【補正の内容】
【０００１】
本発明は、サーバ・ベース・コンピューティング(ＳＢＣ：Server Based Computing)システム、端末装置およびプログラムに関する。
【手続補正４】
【補正対象書類名】明細書
【補正対象項目名】００１１
【補正方法】変更
【補正の内容】
【００１１】
本発明は、このような課題に鑑みなされたもので、キー機能の充実した端末での実際のキー操作頻度を反映させてより高い操作性を実現することが可能になるサーバ・ベース・コンピューティング・システム、端末装置およびプログラムを提供することを目的とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項６に記載の端末装置は、サーバ装置から送信された各キー入力イベントの情報に従い、入力回数の多い各キー入力イベントのキー機能を予め設定されたキーに割り付けるキー機能割り付け手段と、ユーザ操作に応じたキー入力イベントを前記サーバ装置へ送信する際に、前記予め設定されたキーが操作された場合は、前記キー機能割り付け手段により割り付けられたキー機能のキー入力イベントを前記サーバ装置へ送信する入力イベント送信手段と、を備えたことを特徴としている。
【手続補正１０】
【補正対象書類名】明細書
【補正対象項目名】００１８
【補正方法】変更
【補正の内容】
【００１８】
本発明によれば、キー機能の充実したＰＣ端末等での実際のキー操作頻度を反映させてより高い操作性を実現することが可能になるサーバ・ベース・コンピューティング・システム、端末装置およびプログラムを提供できる。